(57)【要約】【課題】感染症や血液凝固などのリスクができるだけ小さいとともに、肝機能障害者への身体的、時間的、経済的な負担がより少ないビリルビンの低減化手段を提供する。【解決手段】内蔵した中空糸で血液の透析を行う透析用カラムを有する透析部と、この透析部での透析に用いる輸液を供給する輸液供給部と、前記透析部に血液を送給するとともに、前記透析部で透析された血液を返送する血液循環部を備え、前記透析部には前記中空糸に緑色光を照射する照射手段を設けて、記中空糸に前記緑色光を照射して前記中空糸内を流れる血液中の脂溶性ビリルビンを水溶性ビリルビンに変性させて輸液に溶出させる。【選択図】図３
2007007292.tif 000002
【特許請求の範囲】
【請求項１】
内蔵した中空糸を用いて血液の透析を行う透析用カラムと、
前記中空糸に緑色光を照射する照射手段を備え、
前記中空糸に前記緑色光を照射して前記中空糸内を流れる血液中の脂溶性ビリルビンを水溶性ビリルビンに変性させるビリルビン変性器。
【請求項２】
前記照射手段は、光源と、この光源から照射された光を前記中空糸に向けて照射する透光性繊維体を備え、この透光性繊維体を前記透析用カラムの内部に前記中空糸と略平行に配設したことを特徴とする請求項１記載のビリルビン変性器。
【請求項３】
前記透光性繊維体は、複数の前記中空糸で囲繞されるように配置したことを特徴とする請求項２記載のビリルビン変性器。
【請求項４】
前記照射手段は、光源と、この光源から照射された光を前記中空糸に向けて照射する透光性平板体を備え、この透光性平板体を前記透析用カラムの内部に前記中空糸と略平行に配設したことを特徴とする請求項１記載のビリルビン変性器。
【請求項５】
前記照射手段は、平板状とした有機エレクトロニックルミネッセンスからなる光源を有し、この光源を前記透析用カラムの内部に前記中空糸と略平行に配設したことを特徴とする請求項１記載のビリルビン変性器。
【請求項６】
前記照射手段は、光源と、この光源から照射された光を前記中空糸に向けて照射するように調整する照射調整体を備え、この照射調整体を揺動させることにより前記光の照射領域を前記中空糸の伸延方向に揺動させることを特徴とする請求項１記載のビリルビン変性器。
【請求項７】
前記照射手段は、光源と、この光源から照射された光を前記中空糸に向けて照射するように調整する照射調整体を備え、この照射調整体を前記透析用カラムの周面に沿って相対的に回転可能に構成したことを特徴とする請求項１記載のビリルビン変性器。
【請求項８】
内蔵した中空糸で血液の透析を行う透析用カラムを有する透析部と、
この透析部での透析に用いる輸液を供給する輸液供給部と、
前記透析部に血液を送給するとともに、前記透析部で透析された血液を返送する血液循環部を備え、
前記透析部には前記中空糸に緑色光を照射する照射手段を設けて、記中空糸に前記緑色光を照射して前記中空糸内を流れる血液中の脂溶性ビリルビンを水溶性ビリルビンに変性させて輸液に溶出させるようにしたビリルビン透析装置。
【発明の詳細な説明】
【技術分野】
【０００１】
本発明は、肝臓の機能低下あるいは機能不能に起因して脂溶性ビリルビンを水溶性ビリルビンへと変性させる機能が低下した肝機能障害者の血液処理に用いるビリルビン変性器及びビリルビン透析装置に関するものである。
【背景技術】
【０００２】
体内において赤血球中のヘモグロビンが分解されることによって生じるビリルビンは、通常、脂溶性ビリルビンとなっており、この脂溶性ビリルビンは肝臓において水溶性ビリルビンへと変性処理されている。そして、水溶性ビリルビンは腎臓において血液中から老廃物として濾し取られ、体外に排出されている。
【０００３】
したがって、肝臓の機能低下あるいは機能不能が生じた場合には、脂溶性ビリルビンを水溶性ビリルビンへと変性させることができず、体内に脂溶性ビリルビンが蓄積されていわゆる黄疸の症状が現れることとなるので、脂溶性ビリルビンを水溶性ビリルビンへと変性させる治療または処置が必要となっている。
【０００４】
脂溶性ビリルビンは、４５０ｎｍ〜５３０ｎｍの緑色光の照射によって水溶性ビリルビンへと変性可能であることが知られており、脂溶性ビリルビンを水溶性ビリルビンへと変性させる機能が低下した肝機能障害者に緑色光を照射可能とした光源を用いて緑色光を照射し、皮膚を透過した緑色光によって血液中の脂溶性ビリルビンを水溶性ビリルビンに変性させる装置が提案されている（例えば、特許文献１参照。）。
【０００５】
ただし、成人の場合には体重当たりの体表面積が小さいために緑色光の照射による脂溶性ビリルビンの水溶性ビリルビンへの変性効率が極めて悪く、現実性のあるビリルビンの低減方法ではなかった。
【０００６】
そこで、現状では、血液中の血漿を交換することによってビリルビン濃度を低減させる血漿交換や、ビリルビン吸着カラムを用いたビリルビンの吸着除去によってビリルビン濃度を低減させるビリルビン吸着が行われており、さらに他の方法として、肝機能障害者から血液の一部を抜き出して、血液に緑色光を直接的に照射し、その後、その血液を体内に戻すように循環させながら水溶性ビリルビンへの変性を行う装置も提案されている。
【特許文献１】特開平０９−０３８２２１号公報
【特許文献１】特開２００４−３５８２４３号公報
【発明の開示】
【発明が解決しようとする課題】
【０００７】
しかしながら、血漿交換の場合には、他人の血漿を輸血することになるために輸血にともなう感染症のリスクが存在し、また、ビリルビン吸着の場合には、血液中の凝固系や免疫系が賦活化されて血液の凝固や炎症反応が生じるリスクが存在しているという問題があった。
【０００８】
さらに、血液循環式のビリルビンの変性装置では、その治療を受ける肝機能障害者の身体的及び時間的さらには経済的な負担が大きいという問題があった。
【０００９】
このように、ビリルビンの低減化には、感染症や血液凝固などのリスクができるだけ小さいとともに、肝機能障害者への身体的、時間的、経済的な負担がより少ない治療方法が求められていた。
【００１０】
本発明者は、ビリルビンの変質効率が低下している肝機能障害者の多くが腎臓の機能障害も併発していることが多く、人工透析が必要となっていることが多いという事実に着目し、人工透析にともなってビリルビンの変性を行うことによってリスクの低減を図る一方で、肝機能障害者への負担を大きく軽減できる可能性があることに思い至り、本発明を成すに至ったものである。
【課題を解決するための手段】
【００１１】
本発明のビリルビン変性器では、内蔵した中空糸を用いて血液の透析を行う透析用カラムと、中空糸に緑色光を照射する照射手段を備え、中空糸に緑色光を照射して中空糸内を流れる血液中の脂溶性ビリルビンを水溶性ビリルビンに変性させるものである。
【００１２】
さらに、以下の点にも特徴を有するものである。すなわち、
（１）照射手段は、光源と、この光源から照射された光を中空糸に向けて照射する透光性繊維体を備え、この透光性繊維体を透析用カラムの内部に中空糸と略平行に配設したこと。
（２）透光性繊維体は、複数の中空糸で囲繞されるように配置したこと。
（３）照射手段は、光源と、この光源から照射された光を中空糸に向けて照射する透光性平板体を備え、この透光性平板体を透析用カラムの内部に中空糸と略平行に配設したこと。
（４）照射手段は、平板状とした有機エレクトロニックルミネッセンス（以下、単に「有機ＥＬ」という）からなる光源を有し、この光源を透析用カラムの内部に中空糸と略平行に配設したこと。
（５）照射手段は、光源と、この光源から照射された光を中空糸に向けて照射するように調整する照射調整体を備え、この照射調整体を揺動させることにより光の照射領域を中空糸の伸延方向に揺動させること。
（６）照射手段は、光源と、この光源から照射された光を中空糸に向けて照射するように調整する照射調整体を備え、この照射調整体を透析用カラムの周面に沿って相対的に回転可能に構成したこと。
【００１３】
また、本発明のビリルビン透析装置では、内蔵した中空糸で血液の透析を行う透析用カラムを有する透析部と、この透析部での透析に用いる輸液を供給する輸液供給部と、透析部に血液を送給するとともに、透析部で透析された血液を返送する血液循環部を備え、透析部には中空糸に緑色光を照射する照射手段を設けて、記中空糸に緑色光を照射して中空糸内を流れる血液中の脂溶性ビリルビンを水溶性ビリルビンに変性させて輸液に溶出させるようにした。
【発明の効果】
【００１４】
請求項１記載の発明によれば、内蔵した中空糸を用いて血液の透析を行う透析用カラムと、中空糸に緑色光を照射する照射手段を備えることにより、中空糸によって表面積を増大させて血液に緑色光を照射できるので、水溶性ビリルビンへの変性を極めて向上させることができる。
【００１５】
請求項２記載の発明によれば、請求項１記載のビリルビン変性器において、照射手段は、光源と、この光源から照射された光を中空糸に向けて照射する透光性繊維体を備え、この透光性繊維体を透析用カラムの内部に中空糸と略平行に配設したことによって、透析用カラムの中心部分に位置した中空糸にも緑色光を照射でき、照射効率を向上させることができる。
【００１６】
請求項３記載の発明によれば、請求項２記載のビリルビン変性器において、透光性繊維体は、複数の中空糸で囲繞されるように配置したことによって、緑色光の照射効率をさらに向上させることができる。
【００１７】
請求項４記載の発明によれば、請求項１記載のビリルビン変性器において、照射手段は、光源と、この光源から照射された光を中空糸に向けて照射する透光性平板体を備え、この透光性平板体を透析用カラムの内部に中空糸と略平行に配設したことによって、透析用カラムの内部への透光体の配設を容易に行うことができ、透析用カラムが高コスト化することを抑制できる。
【００１８】
請求項５記載の発明によれば、請求項１記載のビリルビン変性器において、照射手段は、平板状とした有機ＥＬからなる光源を有し、この光源を透析用カラムの内部に中空糸と略平行に配設したことによって、透析用カラムの内部への光源の配設を容易に行うことができ、透析用カラムが高コスト化することを抑制できる。
【００１９】
請求項６記載の発明によれば、請求項１記載のビリルビン変性器において、照射手段は、光源と、この光源から照射された光を中空糸に向けて照射するように調整する照射調整体を備え、この照射調整体を揺動させることにより光の照射領域を中空糸の伸延方向に揺動させることによって、比較的低コストで緑色光の照射を行うことができる。しかも、脂溶性ビリルビンから水溶性ビリルビンへの変性に最も効果的な波長の緑色光を中空糸に向けて照射できる。
【００２０】
請求項７記載の発明によれば、請求項１記載のビリルビン変性器において、照射手段は、光源と、この光源から照射された光を中空糸に向けて照射するように調整する照射調整体を備え、この照射調整体を透析用カラムの周面に沿って相対的に回転可能に構成したことによって、脂溶性ビリルビンから水溶性ビリルビンへの変性に最も効果的な波長の緑色光を中空糸に向けて隈無く照射できる。
【００２１】
請求項８記載の発明によれば、内蔵した中空糸で血液の透析を行う透析用カラムを有する透析部と、この透析部での透析に用いる輸液を供給する輸液供給部と、透析部に血液を送給するとともに、透析部で透析された血液を返送する血液循環部を備え、透析部には中空糸に緑色光を照射する照射手段を設けて、記中空糸に緑色光を照射して中空糸内を流れる血液中の脂溶性ビリルビンを水溶性ビリルビンに変性させて輸液に溶出させるようにしたビリルビン透析装置としていることによって、人工透析とともに脂溶性ビリルビンの水溶性ビリルビンへの変性を行うことにより、２つの治療を同時に行うことができるので肝機能障害者への身体的負担を大きく低減でき、特に変性させた水溶性ビリルビンを、透析用カラムを用いて透析することもでき、ビリルビンの排出効率を向上させることができる。
【発明を実施するための最良の形態】
【００２２】
本発明のビリルビン変性器及びビリルビン透析装置は、人工透析に用いる透析カラムに対して、脂溶性ビリルビンを水溶性ビリルビンに変性させる光を照射可能とした照射手段から光を照射し、透析カラムに内蔵した中空糸内を流れる血液中の脂溶性ビリルビンを水溶性ビリルビンに変性させているものである。
【００２３】
このように中空糸に対して光を照射することにより、血液に対してほぼ直接的に光を照射できるとともに、中空糸によって表面積が増大化されているので照射効率を向上させることができ、効率よく脂溶性ビリルビンを水溶性ビリルビンに変性させることができる。
【００２４】
照射する光は、波長が４００〜５５０ｎｍの青色、青緑色あるいは緑色の光であればよく、好ましくは、４５０ｎｍ〜５３０ｎｍの緑色光及びその近傍の光がよく、本発明では、説明の便宜上、波長が４００〜５５０ｎｍの光を緑色光と称する。緑色光の光源としては、蛍光灯などの光源に緑色のカラーフィルムを被着して構成してもよいし、キセノンランプやレーザー光源を用いてもよい。
【００２５】
このように人工透析に用いる透析カラムに光を照射して脂溶性ビリルビンを水溶性ビリルビンに変性させることにより、腎機能障害者に対する治療として行われる人工透析とともにビリルビンの透析を行うことができ、腎機能障害を併発している肝機能障害者の身体的負担だけでなく、時間的負担及び経済的負担を大きく低減できる。
【００２６】
特に、１分当たり１００〜２００ｍｌなどの比較的多量の血液を処理することができ、処理効率を向上させることができる。
【００２７】
しかも、感染症や血液凝固などのようなリスクを人工透析におけるリスク程度にまで軽減でき、肝機能障害者が安心して利用することができる。
【００２８】
以下において、図面に基づいて本発明の実施形態を詳説する。図１は、本実施形態のビリルビン変性器Ａを備えたビリルビン透析装置Ｂの概略図である。
【００２９】
ビリルビン変性器Ａは、内蔵した中空糸で血液の透析を行う透析用カラムＣと、この透析用カラムＣの中空糸に緑色光を照射する光源装置Ｌを備えており、ビリルビン透析装置Ｂでは、中途部に血液送給ポンプP1を介設して人体から採取した血液を透析用カラムＣに送給する血液送給管91と、透析用カラムＣで処理された血液を返送する血液返戻管92と、透析用カラムＣで透析を行うために用いる輸液を中途部に輸液送給ポンプP2を介設して輸液タンク93から透析用カラムＣに送給する輸液送給管94と、透析用カラムＣを通過した輸液を排出する輸液排出管95を備えている。
【００３０】
血液送給管91、血液返戻管92、輸液送給管94、輸液排出管95には、それぞれ図示しない送給制御器や送給量検出器などを必要に応じて装着し、図示しない制御部によって透析が適正に行われるように制御している。
【００３１】
図１中、96は後述するように透析用カラムＣに設けた透光体に光源Ｌから照射された緑色光を導くための光ファイバからなる導光管である。
【００３２】
透析用カラムＣは、図２に示すように、一方向に伸延した円筒状フレーム80の内部に、多数の中空糸83を挿入して構成しており、円筒状フレーム80の一方の端部に設けた第１端部フレーム81に中空糸83の一方の端部をそれぞれ装着するとともに、円筒状フレーム80の他方の端部に設けた第２端部フレーム82に中空糸83の他方の端部をそれぞれ装着して、中空糸83を第１端部フレーム81と第２端部フレーム82との間に架設している。
【００３３】
そして、透析用カラムＣは、血液送給管91から第１端部フレーム81に送給された血液を各中空糸83内に円滑に送給可能としており、中空糸83から第２端部フレーム82に送出された血液を第２端部フレーム82に接続した血液返戻管92に円滑に送出するようにしている。
【００３４】
円筒状フレーム80の内部は、輸液送給管94から送給された輸液で満たして中空糸83を輸液に浸漬させて血液の透析を行っており、円筒状フレーム80には、一方の端部に周面方向に突出させた輸液送給口84を設けるとともに、他方の端部に周面方向に突出させた輸液送出口85を設け、輸液送給口84には第１連結具86を介して輸液送給管94を連通連結するとともに、輸液送出口85には第２連結具87を介して輸液排出管95を連通連結して、輸液送給ポンプP2によって送給された輸液を輸液送給口84から円筒状フレーム80の内部に送給し、輸液送出口85から円筒状フレーム80の外部に送出している。
【００３５】
上記したビリルビン透析装置Ｂは、基本的には従来の人工透析装置と同じであって、後述するように透析用カラムＣに緑色光照射用の照射手段を設けている点が異なるだけである。
【００３６】
以下において、本発明の要部であるビリルビン変性器Ａの構成について実施形態ごとに説明する。なお、以下の説明においては、必要な場合を除いて図面中の中空糸83は省略している。
【００３７】
＜第１実施形態＞
図３は、第１実施形態のビリルビン変性器A1の概略図であり、このビリルビン変性器A1は、上記した透析用カラムＣと、この透析用カラムＣの中空糸83に緑色光を照射する照射手段としての照光部D1を備えている。
【００３８】
照光部D1は、レーザー光源L1と、このレーザー光源L1から照射された光を中空糸83に向けて照射する細線状の導光板からなる透光性繊維体11と、レーザー光源L1から透光性繊維体11まで光を導く光ファイバからなる導光管96とから構成している。
【００３９】
透光性繊維体11は、導光管96によって導かれた光を散乱して透光性繊維体11の伸延方向と直行する方向に照射可能としており、この透光性繊維体11を中空糸83と略平行に配設して、中空糸83への緑色光の照射を行っている。
【００４０】
本実施形態では、透析用カラムＣ内には、所定間隔で複数本の透光性繊維体11を配置しており、各透光性繊維体11にそれぞれ導光管96を接続している。
【００４１】
本実施形態では、透光性繊維体11は、中空糸83と同程度の径寸法としているが、中空糸83と比較して大径としてもよく、透光性繊維体11の配設数との関係から好適な径寸法としてよい。
【００４２】
また、本実施形態では、各透光性繊維体11と接続する各導光管96を、輸液送給口84に接続した第１連結具86、または輸液送出口85に接続した第２連結具87から透析用カラムＣの内部に導入しており、透光性繊維体11及び導光管96が血液と直接的に接触することを防止して、血液に凝固などの不具合が生じることを防止している。
【００４３】
特に本実施形態では、透析用カラムＣ内への透光性繊維体11の配設数を多くしていることによって、各透光性繊維体11に接続する導光管96を輸液送給口84と輸液送出口85とから挿入しているが、透光性繊維体11の配設数によっては、輸液送給口84と輸液送出口85のいずれか一方のみから導光管96を挿入してもよい。
【００４４】
本実施形態のように、緑色光の照射する透光性繊維体11を中空糸83と略平行として透析用カラムＣの内部に配設することによって、透析用カラムＣの中心部分に位置した中空糸83にも緑色光を照射でき、照射効率を向上させることができる。
【００４５】
特に、透光性繊維体11は、複数の中空糸83で囲繞されるように配置することによって、透光性繊維体11が放射した緑色光を全て血液に吸収させることができ、照射効率をさらに向上させることができる。
【００４６】
本実施形態では、中空糸83と透光性繊維体11とを別々に透析用カラムＣに装着しているが、中空糸の形成にともなって中空糸に透光性繊維体を接合させた透光性繊維体一体成形の中空糸としてもよいし、中空糸の一部を透光性繊維体で構成してもよいし、中空糸の周囲の一部を透光性繊維体を構成する導光板材料で被覆してもよく、透光性繊維体または導光板材料から緑色光を照射可能となっていればよい。
【００４７】
＜第２実施形態＞
図４は、第２実施形態のビリルビン変性器A2の概略図であり、このビリルビン変性器A2は、上記した透析用カラムＣと、この透析用カラムＣの中空糸83に緑色光を照射する照射手段としての照光部D2を備えている。
【００４８】
照光部D2は、緑色光で発光するＬＥＤ（Light Emitting Diode）を内蔵したＬＥＤ光源L2と、このＬＥＤ光源L2から照射された光を中空糸83に向けて照射する平板状の導光板からなる透光性平板体21とから構成している。図４中、22はＬＥＤ光源L2に通電するための通電配線である。
【００４９】
透光性平板体21は、ＬＥＤ光源L2から照射された緑色光を散乱して透光性平板体21の伸延方向と直行する方向に照射可能としており、この透光性平板体21を中空糸83と略平行に配設して、中空糸83への緑色光の照射を行っている。すなわち、照光部D2はいわゆるバックライトとなっている。
【００５０】
本実施形態では、透光性平板体21は単なる導光板で構成しているが、必要に応じて反射膜を設けて照射効率の向上を図ってもよい。
【００５１】
また本実施形態では、透光性平板体21の両端にそれぞれＬＥＤ光源L2を接続しているが、いずれか一方の端部にのみＬＥＤ光源L2を接続してもよい。
【００５２】
さらに、本実施形態では、透光性平板体21は大面積の平板状としているが、所定の間隔で輸液を流通させるためのスリットを設けてもよいし、あるいは細幅の平板を所定の間隔を設けながら平面上に配設してもよい。
【００５３】
透光性平板体21は、透析用カラムＣの内部に１つだけ配置する場合だけでなく、所定の間隔で複数の透光性平板体21を配置するとともに各透光性平板体21との間に中空糸83を配置することにより、緑色光の照射効率を向上させることができる。
【００５４】
ＬＥＤ光源L2に接続した通電配線22は、輸液送給口84に接続した第１連結具86、及び輸液送出口85に接続した第２連結具87から透析用カラムＣの内部に導入しており、ＬＥＤ光源L2及び透光性平板体21が血液と直接的に接触することを防止して、血液に凝固などの不具合が生じることを防止している。
【００５５】
このように、透析用カラムＣの内部に照光部D2の透光性平板体21を中空糸83と略平行に配設することによって、透析用カラムＣの内部への透光体の配設を極めて容易に行うことができ、透析用カラムＣが高コスト化することを抑制できる。
【００５６】
＜第３実施形態＞
図５は、第３実施形態のビリルビン変性器A3の概略図であり、このビリルビン変性器A3は、上記した透析用カラムＣと、この透析用カラムＣの中空糸83に緑色光を照射する照射手段としての照光部D3を備えている。
【００５７】
照光部D3は、平板状とした有機ＥＬからなる有機ＥＬ光源L3で構成しており、図５中、32は有機ＥＬ光源L3に通電するための通電配線である。すなわち、本実施形態のビリルビン変性器A3は、第２実施形態のビリルビン変性器A2における透析用カラムＣ内の透光性平板体21及びＬＥＤ光源L2の代わりに、有機ＥＬ光源L3を設けているものであり、この有機ＥＬ光源L3を中空糸83と略平行に配設している。
【００５８】
有機ＥＬ光源L3は緑色光を発光するようにしている。有機ＥＬ光源L3は、できるだけ大面積とすることによってビリルビンの変性効率を向上させることができるが、有機ＥＬ光源L3には必要に応じて所定位置にスリットを設けて、輸液の流通性を阻害しないようにしてもよい。
【００５９】
有機ＥＬ光源L3に接続した通電配線32は、輸液送給口84に接続した第１連結具86から透析用カラムＣの内部に導入しており、有機ＥＬ光源L3が血液と直接的に接触することを防止して、血液に凝固などの不具合が生じることを防止している。
【００６０】
有機ＥＬ光源L3は、透析用カラムＣの内部に１つだけ配置する場合だけでなく、所定の間隔で複数の有機ＥＬ光源L3を配置するとともに各有機ＥＬ光源L3との間に中空糸83を配置することにより、緑色光の照射効率を向上させることができる。
【００６１】
このように、透析用カラムＣの内部に照光部D3の有機ＥＬ光源L3を中空糸83と略平行に配設することによって、透析用カラムＣの内部への光源の配設を極めて容易に行うことができ、透析用カラムＣが高コスト化することを抑制できる。
【００６２】
＜第４実施形態＞
図６は、第４実施形態のビリルビン変性器A4の概略図であり、このビリルビン変性器A4は、上記した透析用カラムＣと、この透析用カラムＣの中空糸83に緑色光を照射する照射手段としての照光部D4を備えている。
【００６３】
照光部D4は、レーザー光源L4と、このレーザー光源L4から照射された光を中空糸83に向けて照射するように照射方向を調整する揺動型照射調整体41と、この揺動型照射調整体41を揺動操作する揺動操作部42とから構成している。
【００６４】
揺動型照射調整体41は、レーザー光源L4から入射されたレーザー光を所定の出射方向に反射するミラーで構成している。
【００６５】
揺動操作部42は、駆動モータ42aと、この駆動モータ42aの出力軸に連動連結した棒状の螺旋体42bと、この螺旋体42bと螺合した支持体42cとで構成しており、揺動型照射調整体41は支持体42cに装着して、駆動モータ42aによって螺旋体42bを正転回転または逆転回転させることにより支持体42cを螺旋体42bに沿って進退揺動させ、この螺旋体42bの進退揺動にともなって揺動型照射調整体41を螺旋体42bに沿って進退揺動させている。
【００６６】
螺旋体42bは、本実施形態では、透析用カラムＣの中空糸83と略平行に配置して、揺動型照射調整体41で反射されたレーザー光による照射領域を中空糸83の伸延方向に揺動させている。
【００６７】
このように透析用カラムＣの外部に設けた照光部D4から緑色光の照射を行うことによって、比較的低コストで緑色光の照射を行うことができる。
【００６８】
特に、光源として高出力のレーザー光源L4を用いることができ、脂溶性ビリルビンから水溶性ビリルビンへの変性に最も効果的な波長の緑色光を中空糸83に向けて照射できる。
【００６９】
照光部D4では、揺動型照射調整体41を進退揺動させていることにより、比較的高出力のレーザー光を中空糸83に照射しても、中空糸83が損傷するおそれを解消できる。なお、照光部D4では、レーザー光源L4を１台だけ設置する場合に限定するものではなく、複数台のレーザー光源L4を設置してもよい。
【００７０】
＜第５実施形態＞
図７は、第５実施形態のビリルビン変性器A5の概略図であり、このビリルビン変性器A5は、上記した透析用カラムＣと、この透析用カラムＣの中空糸83に緑色光を照射する照射手段としての照光部D5を備えている。
【００７１】
照光部D5は、レーザー光源L5と、このレーザー光源L5から照射された光を中空糸83に向けて照射するように照射方向を調整する回転型照射調整体51と、この回転型照射調整体51を回転操作する回転操作部（図示せず）とから構成している。
【００７２】
回転型照射調整体51は、レーザー光源L5から入射されたレーザー光を所定の出射方向に反射する多角柱状のミラー体であって、本実施形態では周面を６面の平面状鏡面で構成した六角柱の回転型照射調整体51としている。
【００７３】
回転操作部では、六角柱の回転型照射調整体51の中心軸に設けた回転軸53を所定の角速度で回転駆動させており、回転型照射調整体51を回転させることにより、回転型照射調整体51で反射されたレーザー光による照射領域を中空糸83の伸延方向に走査させている。
【００７４】
このように透析用カラムＣの外部に設けた照光部D5から緑色光の照射を行うことによって、比較的低コストで緑色光の照射を行うことができる。
【００７５】
特に、光源として高出力のレーザー光源L5を用いることができ、脂溶性ビリルビンから水溶性ビリルビンへの変性に最も効果的な波長の緑色光を中空糸83に向けて照射できる。
【００７６】
照光部D5では、回転型照射調整体51を回転させて照射領域を中空糸83の伸延方向に走査させていることにより、比較的高出力のレーザー光を中空糸83に照射しても、中空糸83が損傷するおそれを解消できる。なお、照光部D5では、レーザー光源L5を１台だけ設置する場合に限定するものではなく、複数台のレーザー光源L5を設置してもよい。
【００７７】
＜第６実施形態＞
図８は、第６実施形態のビリルビン変性器A6の概略図であり、このビリルビン変性器A6は、上記した透析用カラムＣと、この透析用カラムＣの中空糸83に緑色光を照射する照射手段としての照光部D6を備えている。
【００７８】
照光部D6は、レーザー光源L6と、このレーザー光源L6から照射された光を拡散させて中空糸83に向けて照射する拡散用レンズ61とから構成している。この拡散用レンズ61が照射調整体となっている。すなわち、照光部D6では、レーザー光源L6から照射された光を拡散用レンズ61で拡散して中空糸83に照射するようにしている。
【００７９】
さらに、本実施形態では透析用カラムＣを所定の角速度で回転駆動させるようにしており、照射調整体である拡散用レンズ61に対して透析用カラムＣを回転させることにより、透析用カラムＣの全面に緑色光が照射されるようにしている。
【００８０】
なお、逆に、透析用カラムＣの周方向に照光部D6を回転させるように構成してもよく、照射調整体である拡散用レンズ61を透析用カラムＣの周面に沿って相対的に回転可能に構成することによって、脂溶性ビリルビンから水溶性ビリルビンへの変性に最も効果的な波長の緑色光を中空糸83に向けて隈無く照射できる。
【００８１】
この場合、透析用カラムＣの中空糸83は、透析用カラムＣの円筒状フレーム80の内周面に沿って円筒状に配置して、緑色光が届かない透析用カラムＣの中央部には中空糸83を設けない方が望ましい。
【図面の簡単な説明】
【００８２】
【図１】本発明の実施形態に係るビリルビン変性器を備えたビリルビン透析装置の概略図である。
【図２】一般的な透析用カラムの説明図である。
【図３】第１実施形態のビリルビン変性器の概略図である。
【図４】第２実施形態のビリルビン変性器の概略図である。
【図５】第３実施形態のビリルビン変性器の概略図である。
【図６】第４実施形態のビリルビン変性器の概略図である。
【図７】第５実施形態のビリルビン変性器の概略図である。
【図８】第６実施形態のビリルビン変性器の概略図である。
【符号の説明】
【００８３】
Ａ  ビリルビン変性器
Ｂ  ビリルビン透析装置
Ｃ  透析用カラム
Ｌ  光源装置
P1  血液送給ポンプ
P2  輸液送給ポンプ
11  透光性繊維体
80  円筒状フレーム
81  第１端部フレーム
82  第２端部フレーム
83  中空糸
84  輸液送給口
85  輸液送出口
86  第１連結具
87  第２連結具
91  血液送給管
92  血液返戻管
93  輸液タンク
94  輸液送給管
95  輸液排出管
96  導光管
【図１】
2007007292.tif 000003
【図２】
2007007292.tif 000004
【図３】
2007007292.tif 000005
【図４】
2007007292.tif 000006
【図５】
2007007292.tif 000007
【図６】
2007007292.tif 000008
【図７】
2007007292.tif 000009
【図８】
2007007292.tif 000010